Podtech/llm-jp-corpus-v4-ja_patent huggingface dataset:
(57)【要約】【課題】  ねずみ捕り紙と仕掛箱を組み合わせた、ねずみ捕獲器として提供する。【解決手段】  ねずみ捕り紙の一部を天蓋として仕掛箱の上辺の縁にかけ、ねずみが天蓋の中蓋を踏むことにより、中蓋の屈折部が伸びて縁に架かっている天蓋を外し、それに伴い、忽ちねずみを落下させて底辺に広がる接着剤に付着させて捕獲するという、ねずみ捕り紙と仕掛箱を組み合わせることを特徴とする。【選択図】  図  １
2006296392.tif 000002
【特許請求の範囲】
【請求項１】
ねずみ捕り紙と、仕掛箱との組み合わせからなり、ねずみ捕り紙を、接着剤塗布面と無地面に分け、接着剤塗布面に底辺と両側面を、無地面に側面と天蓋を、尚、天蓋に中蓋をもうけることを特徴とするねずみ捕り紙。
【請求項２】
仕掛箱の一方辺を上辺部と下辺部とに分けてバネ蝶番にてつなぎ、上辺部縁をねずみ捕り紙の天蓋乗せ縁とし、尚、上辺中央部に滑り止めをもうけて中蓋を乗せる縁とする仕掛箱で、請求項１記載のねずみ捕り紙と組み合わせることを特徴とする。
【請求項３】
請求項２記載の仕掛箱に、請求項１記載のねずみ捕り紙の天蓋部と同じ形の天蓋を一体成形した仕掛箱。
【発明の詳細な説明】
【技術分野】
【０００１】本発明は、ねずみ捕り紙と仕掛箱の組み合わせに関するものである。
【背景技術】
【０００２】従来、ねずみ捕獲器には、金網籠形と、接着剤塗布紙形、があった。
【発明の開示】
【発明が解決しようとする課題】
【０００３】従来のものは、次のような問題点があった。
即ち、金網籠形、接着剤塗布形はねずみの学習能力により効果が薄れ捕獲が困難になっている。
発明は、これらの問題点を解決するためになされたものである。
【課題を解決するための手段】
【解決手段】
【０００４】ねずみ捕り紙と仕掛箱を組み合わせることを特徴とする。
【発明の効果】
【０００５】（イ）  接着剤塗布面が露呈していないため、ねずみに気づかれない。
（ロ）  仕掛けにかかったねずみは、接着剤で忽ち身動きできなくなる。
（ハ）  接着剤塗布面が露出していないため、誤って他のものに触れる心配がない。
（ニ）  死体を露呈しないため、周囲に不快感を与えない。
（ホ）  セットが容易である。
（ヘ）  捕獲後の取り出しが簡単で、ポイ捨てができる。
【発明を実施するための最良の形態】
【０００６】以下、本発明の実施の形態について説明する。
請求項１のねずみ捕り紙の実施の形態。
（イ）ねずみ捕り紙を、接着剤塗布面（１）と無地面（２）に分け、接着剤塗布面（１）に中折線（３Ａ、３Ｂ、３Ｃ）をいれて底面（４）と両側面（５）に区分けする。
（ロ）無地面（２）に中折れ線（３Ｄ）をいれて側面（６）と天蓋（７Ａ）に分ける。
（ハ）天蓋（７Ａ）に二本の切り込み（８）をいれて中蓋（９Ａ）とする。
（ニ）中蓋（９Ａ）中央部に中折線（３Ｅ）をいれて屈折可能にする。
以上を特徴とするねずみ捕り紙。【０００７】請求項２の仕掛箱の実施の形態。
（イ）仕掛箱の一方辺を、上辺部（１０）と下辺部（１１）とに分けてバネ蝶番（１４）にてつなぐ。
（ロ）上辺部（１０）縁をねずみ捕り紙の天蓋架かり縁（１２）とする。
（ハ）上辺部（１０）中央部に突出部をもうけて中蓋架かり縁（１３）とする。
（ニ）高さを請求項１記載のねずみ捕り紙の接着剤塗布面と側面（５）片側と無地面の側面（６）の幅を高さとし、天蓋（７Ａ）を架けるに足る広さの体積をもつものとする。
以上を特徴とする請求項１に記載するねずみ捕り紙用仕掛箱。【０００８】請求項３の仕掛箱の実施の形態。
セットの仕方
（イ）接着剤塗布面（１）の中折線（３Ａ、３Ｂ）を折り曲げて底面（５）と両側面（４）とする。
（ロ）無地面（２）の中折線（３Ｄ）を折り曲げて側面（６）と天蓋（７）とする。
（ハ）天蓋（７Ａ）の縁を天蓋架かり縁（１２）に架け、中蓋（９Ａ）の中折線（３Ｅ）を屈折させて縁を中蓋架かり縁（１３）に架ける。
ねずみが屈折した中蓋（９Ａ）を踏めば中蓋（９Ａ）の屈折部が伸びて、仕掛箱の上辺部（１０）を押し、天蓋架かり縁（１２）に架かっていた天蓋（７Ａ）が崩れ、同時にねずみも落下して接着剤塗布面（１）に付着して捕獲されるというものである。
（ニ）請求項３記載の仕掛箱の場合は、天蓋（７Ｂ）、中蓋（９Ｂ）は前記同様に縁（１２）（１３）に架けるが、接着剤塗布紙は一般的接着剤塗布紙を使用する。
【図面の簡単な説明】
【０００９】
【図１】本発明、請求項１記載のねずみ捕り紙を、セット状態に折り曲げた全体斜視図
【図２】本発明、請求項１記載のねずみ捕り紙の、展開図
【図３】本発明、請求項２記載の仕掛け箱の斜視図
【図４】本発明、請求項３記載の仕掛け箱の斜視図
【符号の説明】
【００１０】  １  接着剤塗布面
２  無地面
３Ａ・Ｂ・Ｃ・Ｄ・Ｅ  中折線
４  底面
５  側面
６  側面
７Ａ・Ｂ  天蓋
８  切り込み
９Ａ・Ｂ  中蓋
１０  上辺部
１１  下辺部
１２  天蓋架かり縁
１３  中蓋架かり縁
１４  バネ蝶番
１５  底蓋止め
【図１】
2006296392.tif 000003
【図２】
2006296392.tif 000004
【図３】
2006296392.tif 000005
【図４】
2006296392.tif 000006
(57)【要約】      （修正有）【課題】支持線に対する防鳥用細線のホルダーの組付けが簡単な、ケーブルの鳥害防止装置を提供する。【解決手段】  ケーブル３を支持した支持線１に所定間隔を存してホルダー４を取付け、該ホルダー４に防鳥用の細線５を張架して前記支持線１に鳥類の留まりを防ぐようにする。そして、ホルダー４を、主体杆８の一端に前記細線５を係止する起立杆６を立設して構成する。また、主体杆８を金属製撚線より成る前記支持線１の螺旋溝に適合する螺旋状にする。【選択図】図１
2006296312.tif 000002
【特許請求の範囲】
【請求項１】
ケーブルを支持した支持線に所定間隔を存してホルダーを取付け、該ホルダーに防鳥用の細線を張架して前記支持線に鳥類の留まりを防ぐようにしたケーブルの鳥害防止装置において、前記ホルダーを、主体杆の一端に前記細線を係止する起立杆を立設して構成し、しかも、前記主体杆を金属製撚線より成る前記支持線の螺旋溝に係合する螺旋状とした、ケーブルの鳥害防止装置。
【発明の詳細な説明】
【技術分野】
【０００１】
本発明は、電柱間に張架したケーブルを鳥類の糞の付着から防ぐために用いているケーブル鳥害防止装置に関するものである。
【背景技術】
【０００２】
ケーブルを支持した支持線に（ケーブルと支持線間には鳥類が留まれるほどの空間はない）、所定間隔を存してホルダーを取付け、該ホルダーに防鳥用の細線（鳥が留まることのできない程度の、耐候性素材より成る細線）を張架して前記支持線に鳥類の留まりを防ぐようにしたケーブル鳥害防止装置は公知でである（例えば、特許文献１）。
【０００３】
【特許文献１】特開２００５−１７８号公報
【発明の開示】
【発明が解決しようとする課題】
【０００４】
前記鳥害防止装置に用いているホルダーは、支持線を介して相対するホルダー主体と挟持片を、ボルトにナットを螺合して互いに締め付けて、支持線に一定間隔を存して当該ホルダーを配するようにしており、ホルダー主体と挟持片およびボルトの、いわば３部材を高所において支持線に組付けなければならず、部材点数の多さから落下させるおそれがあり、構造物に組付け作業の煩雑さは否定できない。
【０００５】
本発明は、斯様な従来例の欠点を除去し、支持線に対する、防鳥用細線のホルダーの組付けが簡単な、ケーブルの鳥害防止装置を提供すべく創案したものである。
【課題を解決するための手段】
【０００６】
ケーブルを支持した支持線に所定間隔を存してホルダーを取付け、該ホルダーに防鳥用の細線を張架して前記支持線に鳥類の留まりを防ぐようにしたケーブルの鳥害防止装置において、前記ホルダーを、主体杆の一端に前記細線を係止する起立杆を立設して構成し、しかも、前記主体杆を金属製撚線より成る前記支持線の螺旋溝に係合する螺旋状とした構成にしたものである。
【発明の効果】
【０００７】
本発明によれば、撚線より成る支持線の螺旋溝に主体枠を係合させつつ回動させるだけで支持線に組付けられ、しかも、単一な部材で成るから組付け作業時における手元からの落下を確実に回避することができ、また、従来のようにねじの緩み等による構造的原因で支持線からホルダーが容易に離脱することのないケーブル鳥害防止装置を提供できる。
【実施例】
【０００８】
図面は本発明に係るケーブル鳥害防止装置の一実施例を示し、図１は正面図、図２は図１の一部拡大図、図３はホルダーの拡大側面図である。
【０００９】
実施例のケーブル鳥害防止装置は、電柱間に張架した、撚線（金属製）より成る支持線１に、該支持線１に沿って螺旋状の支持具２を組付け、該支持具２にケーブル３を受支させて、ケーブル３を支持具２を介して支持線１に支持させ、支持線１には適宜の間隔を存してホルダー４を取付け、該ホルダー４間に、鳥が留まることのできない細線（ピアノ線など）５を張架して前記支持線１に鳥が留まるのを阻止し、ケーブル３の、鳥類の糞の付着を防止するようにしたものである。
【００１０】
この鳥害防止装置に用いる前記ホルダー４は、金属杆を屈曲形成して構成したもので、主体杆８の一端に起立杆６を直角方向に屈曲して成り、起立杆６の先端を螺旋状に屈曲して係止部７を設けると共に、前記主体杆８を、前記支持線１の（撚線で成ることにより形成される）螺旋溝１ａに適合する螺旋状にして構成したものである。
【００１１】
このホルダー４は、支持具２を介してケーブル３を支持した前記支持線２の適所に、主体杆８の螺旋形を当該支持線２の螺旋溝１ａに係合させつつ、回動させて巻き付けるようにして組付け（この場合、主体杆８の螺旋形のピッチ幅と支持線２の螺旋溝１ａのピッチ幅は、螺旋形と螺旋溝が厳密な意味で一致して適合する関係である必要はなく、多少ずれても主体杆８が支持線２に接して両者が互いに係止する、すなわち主体杆８が支持線２を中心に回動しない関係であれば良い）、起立杆６が支持線１上に立設するように配し、起立杆６の係止部７の螺旋形を利用して前記細線５を起立杆６に係止、引留め、起立杆６間に張架して、支持線２の直上に細線を配するように用いるのである。
【００１２】
因みに、細線５は係止部７の杆体に巻き付けることにより該係止部７により確実に係止されるが、いずれにしても螺旋形を挿通させるから、係止部７から離脱することはない。
【００１３】
この張架状態において、細線５と支持線２との間には支持線２に鳥類が留まることができない間隙ａが形成される。
【００１４】
なお、実施例のホルダー４は、硬鋼線をポリエチレン樹脂を粉体塗装して被覆した杆体で構成するものであるが、耐候性有るものであれば実施例以外の金属杆や樹脂杆で構成しても不都合はない。
【００１５】
また、起立杆６に設けた係止部７は実施例の形態に限る必要がないことは勿論であるが、少くも、当該係止部から防鳥用の細線５が容易に離脱することのない形態にすべきである。
【００１６】
主体杆８と起立杆６はほぼ直交方向に配してあるが、主体杆８に対する起立杆６の立ち上り角度は自由に選択して良い。
【図面の簡単な説明】
【００１７】
【図１】正面図。
【図２】図１の一部拡大図。
【図３】ホルダーの拡大側面図。
【符号の説明】
【００１８】
１      支持線
３      ケーブル
４      ホルダー
５      細線
６      起立杆
【図１】
2006296312.tif 000003
【図２】
2006296312.tif 000004
【図３】
2006296312.tif 000005
(57)【要約】      （修正有）【課題】種の保存、クロマグロ等の養殖及び放流を目的とする、魚類などの精子、受精卵の凍結保存に用いる保存剤の提供。特にポリエチレングリコ−ル、マンニト−ルの有効成分ならびにリン酸緩衝液の使用による生細胞および酵素の凍結保存剤の提供。【解決手段】サカナ受精卵の長期間保存を可能とする、１０％（Ｗ／Ｖ）ポリエチレングリコ−ル、１モル（分子量Ｗ／Ｖ）マンニト−ル、ｐＨ７．９  リン酸緩衝液からなる保存剤を調製した。【選択図】なし【特許請求の範囲】
【請求項１】
ポリエチレングリコ−ル、マンニト−ルの有効成分ならびにリン酸緩衝液の緩衝作用による生細胞および酵素の保存剤
【請求項２】
１０％（Ｗ／Ｖ）ポリエチレングリコ−ル、
１モル（分子量Ｗ／Ｖ）マンニト−ル
ｐＨ７．９リン酸緩衝液
に調整されたことを有効とする請求項１記載の生細胞および酵素の保存剤
【請求項３】
精子、卵、受精卵の生細胞および酵素の凍結保存、低温保存を有効とする請求項１、請求項２記載の生細胞および酵素の保存剤
【発明の詳細な説明】
【発明の詳細な説明】
【０００１】［産業上の利用分野］
本発明は魚類、貝類等の精子、卵、受精卵の生細胞、酵素を凍結状態または低温で長期間保存に必要な生細胞および酵素の保存に関するもの
【０００２】［従来の技術］
特公昭６０−２９４７１号、特開平５−３８２８４号等今日まで多くの研究が行われているが、サカナ等の受精卵の凍結保存によるところの孵化は皆無である
【０００３】［発明が解決しようとする課題］
魚類などの精子、受精卵の凍結保存の目的は、種の保存の必要性ならびにクロマグロ等の養殖及び稚魚放流にある。
【０００４】［課題を解決するための手段］
１〜２日の受精卵を容器に入れ、凍結保存液を注入し、氷蔵庫に低温保管する。その後ドライアイス入りエチルアルコ−ル液で急速凍結し、氷点下８５℃の冷凍庫にて保管する。
［解凍方法］
解凍は２８〜３０℃の温度とする。
【０００５】［作用］
魚の受精卵はそのままだと５〜１０時間で劣化すると言われている。
凍結保存液の作用は不明である。
【０００６】［実施例］
１〜２日の受精卵を２ｍｌ容器に入れ、凍結保存液を注入し、氷蔵庫にて低温保管する。
ドライアイス入りエチルアルコ−ル液で急速凍結し、氷点下８５℃にて１〜３ケ月冷凍庫に保管した。解凍を２８〜３０℃で行い孵化させた。
【０００７】［発明の効果］
凍結受精卵が２０〜３０％の割合で孵化した。
(57)【要約】      （修正有）【課題】植物を育てるための培地は水はけが良く、根の呼吸を助ける為に空気の流通を良くする必要があるとされて来た。  水はけの良い培地は、大量の水を保持することができないので乾きが早く、その為ひんぱんに水やりを行う煩わしさを伴うものである。【解決手段】水の溜められる容器（１）に、穴の孔けられた  セパレーター（２）を取り付け、容器の空間を二分割し、上部に培養土を入れて植物を植え付ける。下部空間には網目上平板電極（３）と平板電極（４）を平行に取付け、ＤＣ又はＡＣ電源（５）を接続し、水をセパレーター（２）の下面まで入れる。下部に溜められた水は電極（３）と（４）の間に流れる電流によって電気分解され、酸素と水素が発生することになるが、この酸素は水に溶けて根の呼吸を助ける働きをする。上部培養土はセパレーターの下部から毛細管現象によって常に水が供給される。【選択図】図１
2006296388.tif 000002
【特許請求の範囲】
【請求項１】
水の溜められる容器（１）に、穴の孔けられた  セパレーター（２）を取り付け、容器の空間を二分割し、上部に培養土（６）を入れる。
下部空間に網目状平板電極（３）と平板電極（４）を数ｃｍの間隔を置いて平行に取付ける。（３）と（４）にＤＣ又はＡＣ電源（５）を接続し、水位（７）をセパレーター（２）の下面に保つ。以上の様に構成された「植物の電解栽培法」
【発明の詳細な説明】
【発明の詳細な説明】
【技術分野】
【０００１】  この発明は、培養土を用いて植物を栽培する方法に関するものである。
【背景技術】
【０００２】  植物を育てるための培地は水はけが良く、根の呼吸を助ける為に空気の流通を良くする必要があるとされて来た。
【発明が解決しようとする課題】
【０００３】  水はけの良い培地は、大量の水を保持することができないので乾きが早く、その為ひんぱんに水やりを行う煩わしさを伴うものである。
【課題を解決する為の手段】
【０００４】  水の溜められる容器（１）に、穴の孔けられた  セパレーター（２）を取り付け、容器の空間を二分割し、上部に培養土を入れて植物を植え付ける。
下部空間には網目上平板電極（３）と平板電極（４）を平行に取付け、ＤＣ又はＡＣ電源（５）を接続し、水をセパレーター（２）の下面まで入れる。
【発明を実施するための最良の形態】
【０００５】  下部に溜められた水は電極（３）と（４）の間に流れる電流によって電気分解され、酸素と水素が発生することになるが、この酸素は水に溶けて根の呼吸を助ける働きをする。
【実施例】
【０００６】  上部培養土はセパレーターの下部から毛細管現象によって常に水が供給されるので乾く心配がない。
又電極の片方を網目状とすることによって発生する気体を水中に均一に拡散させ、より効率的に酸素を水に溶かす工夫をしたものである。
【発明の効果】
【０００７】  本発明は容器の下部に大量の水を溜め置くことが可能なため、ひんぱんに水やりを行う煩わしさから開放されることができるようになる・
又水を原材料に酸素を作り出すこの方法は魚を飼う水槽や養殖場にも応用が効き、エアポンプ等の維持管理の煩わしさからも開放されることができるようになる。
【図面の簡単な説明】
【図１】本発明の断面図である。
【符号の説明】
１・水の溜められる容器                ２・セパレーター
３・網目状平板電極                    ４・平板電極
５・ＤＣ又はＡＣ電源                  ６・培養土
７・水位
【図１】
2006296388.tif 000003
(57)【要約】      （修正有）【課題】ペット用の消臭・除菌を兼ね備えたロール状の紙製品で、紙小タオルからバスタオルサイズ、紙おむつおよびそれを素材とした紙の衣服、小物などを提供すること。【解決手段】ロール状の紙製品に除菌作用のある植物性抽出物などを含侵、さらに香料を加えて除菌、芳香を有するペット用紙タオル。【効果】従来において、ペットのシャンプー後の乾燥に随分時間をかけていたが、今までのタオルから紙タオルに変える事のよって水の吸収が早く、時間の短縮と共に除菌作用と芳香でシャンプーが出来ない時や体臭の強いペットには濡らしてふけばその効果は見てとれる。また、トイレの失敗の後始末やおむつの中のとりかえシートとしても利用できる。この紙製品を素材として衣服や小物でその範囲はずっと広がる。【選択図】なし【特許請求の範囲】
【請求項１】
１枚または２枚重ねのロール紙および観音折りまたはＺ折りした畳折りのポケットティッシュ、ボックスティッシュ、ナフキン紙等（色つき、柄ものなどを含む）のペット用紙タオル除菌香りつき。
【請求項２】
竹・木炭、緑茶、ハーブのそれぞれ抽出物からなる群から選ばれる少なくとも１種の植物性抽出物が含侵されていることを特徴とする請求項１に記載のペット用紙タオル除菌香りつき。
【請求項３】
界面活性剤を含む消臭液が含侵されていることを特徴とする請求項１または２に記載のペット用紙タオル除菌香りつき。
【請求項４】
アルコール類が含侵されていることを特徴とする請求項１〜３のいずれかに記載のペット用紙タオル除菌香りつき。
【請求項５】
このペット用紙タオルの内側に数ヶ所粘着テープをはりつけ、着るだけで抜け毛の処理が出来る。
【発明の詳細な説明】
【技術分野】
【０００１】本発明は、ペット用の消臭、除菌を兼ね備えた紙の小タオルからバスタオルサイズ、紙おむつおよび紙の衣服、小物などの紙製品に関する。
【背景技術】
【０００２】ペットのシャンプーの後の乾燥にペット用紙タオルがなかった。
【発明が解決しようとする課題】
【０００３】従来において、ペットのシャンプー後の乾燥および体臭除去にさまざまな商品が市販されているがタオルであったり、ウェットティッシュであったりといくつも買いそろえていたが、これをひとつにして便利に役立たせる。
【課題を解決するための手段】
【０００４】本発明は、ロール状の紙タオルにつき安価で使い勝手が良い。またボックスタイプは、携帯に、持ち運びに、据え置きや壁掛けにと様々。
【実施例】
【０００５】従来において、ペットのシャンプーの後の乾燥はバスタオル（パイル地）が主流。しかし、長毛の場合含んだ水分の量が多く、それが３枚以上を必要としていた。【０００６】ところが、湯上がりにバスタオル１枚で先ず全体の水気をとり、あとはこのペット用紙タオルで１枚は頭から背中全体と足の方まで拭き取り、次の１枚で毛の多い耳と残りの足を拭き取る。それで、大体の水気は取ることができるが、まだ気になる所がある時はもう１枚でふきあげる。【０００７】ほとんど、２〜３枚あればブラシと一緒に使うとそれだけであとは自然乾燥のところまでで終わらせる。今までの時間が３分の１以下と短縮できペット用紙タオルがぬれた事によってほのかな香りと、耳の中もついでにふきとる事ができ除菌にもなる。【０００８】または、ペットは生き物であるがゆえに、風邪・下痢・老齢などでシャンプーが出来ないとき、おしりだけが汚れた時などはぬらしてふけば汚れおとしになる。【０００９】または、トイレの失敗の後始末にはそのままふきとったり、ふきとった後の除菌・消臭にぬらしてふく事ができる。【００１０】または、体臭の強いペットの臭い取りとしてシャンプーとシャンプーの間に身体をこのペット用紙タオルをぬらしてふけば除菌とほのかな香りが広がる。【００１１】または、おむつをする時期のペットには取り替えシートとして折りたたんで使用できる。【００１２】または、ペットではないけれど洗えないぬいぐるみにも使用可能である。【００１３】または、紙のレインコートや洋服、口をふくひも付きナフキンや内側に数ヶ所粘着テープをはりつけ着るだけで抜け毛の処理が出来る。【００１４】このペット用紙タオルを基にハンカチサイズから大型犬向けのバスタオルまで大きさも用途もさまざまである。
【図面の簡単な説明】
【００１５】
【図１】１枚または２枚重ねのロール状ペット用紙タオルの立体図。ｂで切り取り、使用する。
【図２】図１の平面図。
【図３】エンボス加工のペット用紙タオル２枚重ねで間に空気を入れることで、より多くの水分を吸収する。
【図４】図１のペット用紙タオルをホルダーに入れ、据え置き型とした。ｄの心棒にｃ（筒）を通し、ｅをかぶせる。飛び出したｄは持ち運びの取っ手にもなる。ｅの開閉部はストッパーになり紙の取り出し口に相当する。
【図５】図１のペット用紙タオルをボックスタイプのホルダーに収め、壁掛け式として横型、縦型とｆ▲１▼・ｆ▲２▼（紐）を引っ張るごとにより、使用場所に応じて使い分けが出来る。
【符号の説明】
【００１６】ａ          ペット用紙タオル
ｂ          切り取り線
ｃ          筒
ｄ          心棒
ｅ          筒型ホルダー
ｆ１・ｆ２  紐
ｇ          ボックス型ホルダー
【図１】
2006296386.tif 000002
【図２】
2006296386.tif 000003
【図３】
2006296386.tif 000004
【図４】
2006296386.tif 000005
【図５】
2006296386.tif 000006
(57)【要約】  【課題】冷凍果実を速やかに解凍でき、解凍後の日持ちを向上できる、冷凍果実の解凍方法を提供すること。  【解決手段】冷凍果実を高温の有機酸溶液に浸漬し、解凍する。  【選択図】なし【特許請求の範囲】
【請求項１】
酢酸を除く有機酸溶液に、大きさが５ｍｍ以上の冷凍果実を浸漬し、解凍することを特徴とする冷凍果実の解凍方法。
【請求項２】
有機酸溶液の温度が５０〜１００℃である請求項１記載の方法。
【請求項３】
有機酸溶液がクエン酸溶液である請求項１又は２記載の方法。
【請求項４】
クエン酸溶液のクエン酸濃度が０．１〜０．９％である請求項３記載の方法。
【発明の詳細な説明】
【技術分野】
【０００１】
本発明は、冷凍果実の解凍後の日持ちを向上でき、速やかに解凍可能な、冷凍果実の解凍方法に関するものである。
【背景技術】
【０００２】
マンゴー、ストロベリー等の冷凍果実の解凍方法として、室温に放置して自然解凍する方法、冷蔵庫内で解凍する方法、温水、熱水に浸漬して解凍する方法等があるが、解凍中もしくは解凍後に微生物の増殖が認められたり、褐変等の品質劣化が生じる為、果実の外観が重要視される加工食品（例えば、果肉入りゼリー）への利用は難しいとされていた。冷凍果実の解凍後の品質劣化を抑制する方法として、加熱、加圧、加糖、脱気等の処理があるが、これらの方法では、果肉組織の軟化劣化、甘味の付与、処理作業が煩雑等の問題がある為、実際には、これらの処理は行なわれず、冷凍果実は解凍後速やかに使い切ることを強いられている。
【０００３】
冷凍果実の解凍方法、処理方法、果実の褐変防止方法等関連するその他の先行技術として、特許文献１には、果汁／果実ピューレ、低メトキシペクチン、酸味料としてのクエン酸を含有するゾル状混合物を、解凍中にカルシウム溶液に浸漬して、果肉類似製品を製造する方法が開示されている。特許文献２、３には、冷凍梅を食酢／酢酸含有食塩水に浸漬し、解凍と調味付けを同時に行なう梅干の製造方法が開示されている。特許文献４には、有機酸含有糖水溶液に果実を浸漬し冷凍することにより、生の果実の食感を保持した冷凍果実製品の製造方法が開示されている。特許文献５には、リン酸カルシウムを用いたリンゴ果肉褐変を防止する方法が開示されている。しかしながら、これらの先行技術はいずれも、本発明とは、構成、目的が異なるものである。
【特許文献１】特開昭６０−９４５６号公報
【特許文献２】特開昭５７−６８７５３号公報
【特許文献３】特開昭５７−６８７５４号公報
【特許文献４】特開平６−２４５６９２号公報
【特許文献５】特開昭５５−１１５１４９号公報
【発明の開示】
【発明が解決しようとする課題】
【０００４】
本発明は、冷凍果実の解凍後の日持ちを向上でき、速やかに解凍可能な、冷凍果実の解凍方法を提供することを目的とする。
【課題を解決するための手段】
【０００５】
本発明者らは、前記課題を解決する為、鋭意検討を重ねた結果、冷凍果実を高温の有機酸溶液に浸漬し、解凍することにより、冷凍果実の解凍後の日持ちを向上でき、また速やかに解凍できることを見出した。即ち、本発明は以下の通りである。
【０００６】
（１）酢酸を除く有機酸溶液に、大きさが５ｍｍ以上の冷凍果実を浸漬し、解凍することを特徴とする冷凍果実の解凍方法。
（２）有機酸溶液の温度が５０〜１００℃である（１）記載の方法。
（３）有機酸溶液がクエン酸溶液である（１）又は（２）記載の方法。
（４）クエン酸溶液のクエン酸濃度が０．１〜０．９％である（３）記載の方法。
【発明の効果】
【０００７】
本発明の効果として、冷凍果実を速やかに解凍でき、解凍後の日持ちを向上できる。
【発明を実施するための最良の形態】
【０００８】
本発明の冷凍果実の種類としては、特に制限はなく、任意の果実よく、例えばマンゴー、ストロベリー、リンゴ、ブドウ、ナシ、洋ナシ、ピーチ等が挙げられる。冷凍果実の大きさは、５ｍｍ以上が好ましく、１０ｍｍ以上がより好ましい。大きさが５ｍｍ以上の冷凍果実とは、未凍結あるいは解凍状態の時に、目開き５ｍｍ×５ｍｍの網を通過しない果実の冷凍品を意味し、具体的には、果実そのものを冷凍したもの、皮や種を除去した果肉を冷凍したもの、果実や果肉を５ｍｍ以上の大きさにカットした後冷凍したものを意味する。果実や果肉を磨砕処理して得られる果汁、果実ピューレ、果実ペーストは含まれない。
【０００９】
本発明に用いられる有機酸は食品に使用できるものであれば特に制限はなく、アジピン酸、酒石酸、乳酸、クエン酸、リンゴ酸等が挙げられる。尚、酢酸は果実に好ましくない酢酸臭を付与するので、本発明の有機酸には含まれない。有機酸の中でも、果実の風味との相性のよいクエン酸が好ましい。有機酸溶液にクエン酸を用いる場合、クエン酸の濃度は０．１〜０．９％が好ましく、０．２〜０．６％がより好ましい。クエン酸の濃度が０．１％未満であると、冷凍果実の解凍後の日持ちを向上させる効果は十分ではなく、０．９％を超えると果実に過度の酸味が付与される。
【００１０】
本発明に用いられる有機酸の溶液の温度は、冷凍果実が投入される前の状態で、５０〜１００℃、好ましくは７０〜１００℃、より好ましくは９０〜１００℃である。いうまでも無く、温度が低い場合、解凍時間がより長くなり、製造面での効率が悪くなる。
【００１１】
以下に実施例を挙げ、本発明をさらに詳しく説明する。本発明は、この実施例により何ら限定されない。
【実施例１】
【００１２】
冷凍マンゴー（IQFマンゴチャンク、ICMOSA社製、原産国メキシコ、約３０mm×３０ｍｍカット品）５００ｇを袋から取り出し、９２℃の０．３％クエン酸溶液１ｋｇに浸漬したところ、速やかに（１０分以内）解凍した（本発明品）。解凍したマンゴーをポリエチレンの袋に密封し、１０℃で７２時間保存した後、定法により微生物分析を行なった。併せて、解凍したマンゴーを磨砕し、磨砕物のｐHを測定した。褐変に寄与する酵素の活性を吸光度にて測定し、酵素活性残存率を調べた。さらに、目視により外観の変化を確認した。有機酸溶液に浸漬せず、１０℃で７２時間保存し解凍したものを対照とし、同様に微生物、ｐH、酵素活性を測定し、外観変化を見た。これらの結果を表１に示す。
【００１３】
【表１】
2006296360.tif 000002
【００１４】
表１に示したように、対照は、褐変が確認され、一般生菌、大腸菌群が増殖していたのに対し、クエン酸溶液に浸漬して解凍した試料は、褐変は認められず、菌の増殖も無く、解凍マンゴーの日持ち向上効果が確認された。
【００１５】
尚、冷凍マンゴー５００ｇを７２℃の０．３％クエン酸溶液に浸漬し、解凍した試料（解凍時間は約１７分）においても、同様に、褐変は認められず、菌の増殖も無く、日持ち向上効果が確認された。一方、冷凍マンゴーを９２℃の市水に浸漬し、解凍した試料においては、菌の増殖が認められ、日持ちを向上させる効果は認められなかった。  
【産業上の利用可能性】
【００１６】
本発明によれば、冷凍果実を速やかに解凍でき、解凍後の日持ちを向上できるので、本発明は食品分野において極めて有用である。
(57)【要約】【課題】            ハーネス表示を被覆したチューブ外側より判別することができ、かつ有害物質を含まず、かつ作業時の安全性が高い機器の不正防止対策用螺旋状チューブを提供すること。【解決手段】        機器の不正防止対策用螺旋状チューブ９は、一端から他端まで螺旋形の溝孔を設けてなるプラスチック材よりなるチューブであって、不正対策防止用に透明材料によって形成されるとともに、有害物質を含まないナイロン材料からなる。ナイロンは、樹脂の靱性があるので、螺旋形の溝孔を設けても、エッジがささくれることがないので、手を切る心配もなく、作業時の安全性を維持できる。【選択図】          図１
2006296145.tif 000002
【特許請求の範囲】
【請求項１】
一端から他端まで螺旋形の溝孔を設けてなるプラスチック材よりなるチューブであって、不正対策防止用に透明材料によって形成されるとともに、有害物質を含まないナイロン材料からなる機器の不正防止対策用螺旋状チューブ。
【発明の詳細な説明】
【技術分野】
【０００１】
本発明は、電線束に巻き付けて束を被覆して電線束を分離しないように結束するため使用される螺旋状チューブに関する。
【背景技術】
【０００２】
上記の使用用途の他、電線束のよじれを防ぐこと、並びに合成樹脂被覆により絶縁保護の役割を果たす等の用途のため、従来から、特許文献１に開示されたような螺旋状チューブが使用されている。
【０００３】
一方、遊技市場を中心にハーネスをコネクター（接続部）から引き抜いて交換して不正を行う者が存在する。その不正を防止する対策として、５〜１０ｃｍ間隔でハーネスに付されているハーネス表示を被覆したチューブ外側より判別することが望ましく、透明度の高い螺旋状チューブの要求が高まっている。この要求に合致する透明度が高い代表的なものとして、塩ビのチューブが挙げられる。
【０００４】
【特許文献１】実公昭４０−２４５８３
【発明の開示】
【発明が解決しようとする課題】
【０００５】
しかしながら、塩ビのチューブは、有害物質を含んでいるため環境問題で採用できないという問題があった。
【０００６】
そこで、本出願人は、透明度が高く、しかも有害物質を含まない樹脂としてポリカーボネートのチューブを検討した。ポリカーボネートは成形性に優れているという利点があった。しかし、ポリカーボネートは、樹脂の靱性が乏しいので、螺旋形の溝孔を設けると、エッジがささくれて、螺旋状チューブをケーブルに被覆する際にエッジで手を切りやすく作業時の安全が図れないという問題があることがわかった。
【０００７】
本発明は、このような従来技術の問題点を解決することを課題とするものであり、ハーネス表示を被覆したチューブ外側より判別することができるとともに、有害物質を含まず、かつ作業時の安全性が高い機器の不正防止対策用螺旋状チューブを提供することを目的とする
【課題を解決するための手段】
【０００８】
本発明は、この目的を達成するため次のような構成を採用している。
【０００９】
つまり、本発明の機器の不正防止対策用螺旋状チューブは、一端から他端まで螺旋形の溝孔を設けてなるプラスチック材よりなるチューブであって、不正対策防止用に透明材料によって形成されるとともに、有害物質を含まないナイロン材料からなるものである。
【発明の効果】
【００１０】
本発明は、上記のような構成であり、透明なナイロン材料で構成することにより、ハーネス表示を被覆したチューブ外側より判別することができ、かつ有害物質を含まない螺旋状チューブを提供することができる。
【発明を実施するための最良の形態】
【００１１】
次に、本発明に係る螺旋状チューブの実施の形態（以下、実施例という）を図面に基づいて説明する。
【実施例１】
【００１２】
図１は本発明実施例の機器の不正防止対策用螺旋状チューブ９の使用状態を示す斜視図であり、遊技機１の扉３を開いてケーブル５の接続状態を示している。
【００１３】
図１に示したように筐体本体２と扉３を有する遊技機１において、筐体本体２の中央に設けたドラム１０の上方に配設されたプリント基板６に接続されたケーブル５を、扉３に配設されたプリント基板７とプリント基板８に分岐し、接続する場合に、ケーブル５を束ねて保護するために透明な螺旋状チューブ９で被覆している。ケーブル５を束ねて透明な螺旋状チューブ９で被覆しているので、ケーブル５に不正を施した場合に、ケーブル５の識別表示を確認することによりすぐに発見することができる。
【００１４】
螺旋状チューブ９は、一端から他端まで螺旋形の溝孔を設けてなる管であって、ナイロン材料で成形される。ナイロンは透明樹脂が採用できるので、前述の不正防止が図れるとともに、有害物質を含まないので、環境問題が生じる恐れがない。さらにナイロンは、樹脂の靱性があるので、螺旋形の溝孔を設けても、エッジがささくれることがないので、手を切る心配もなく、作業時の安全性を維持できる。
【産業上の利用可能性】
【００１５】
本発明の機器の不正防止対策用螺旋状チュ−ブはアミューズ・遊技機用に限らず、自動販売機、自動券売機等の不正防止が必要な電子・電気機器において、利用できる可能性がある。
【図面の簡単な説明】
【００１６】
【図１】本発明実施例の使用状態を示す斜視図である。
【符号の説明】
【００１７】
１  遊技機
２  筐体本体
３  扉
５  ケーブル
６  プリント基板
７  プリント基板
８  プリント基板
９  螺旋状チューブ
【図１】
2006296145.tif 000003
(57)【要約】      （修正有）【課題】本発明により、発電した電力を効率的に自家消費できる。その結果、系統電力（商用電力）から、受電する電力量を、著しく削減できる。【解決手段】従来の家庭用コージェネレーションシステムの技術に太陽光発電システムと蓄電池（ＮＡＳ電池等）を組み合わせる。これにより、発電量の増加と、発電時間帯と使用時間帯の相違、及び１時間あたりの発電量と消費量の格差を吸収でき、発電した電力を効率的に自家消費できる。【選択図】  図１
2006296173.tif 000002
【特許請求の範囲】
【請求項１】
従来の家庭用コージェネレーションシステム（エンジン式、及び燃料電池式等を用いた発電・排熱利用システム）に蓄電池（ＮＡＳ電池等）、及び家庭用太陽光発電システムを組み合わせることを特徴とする家庭用トータルエネルギーシステム。
【請求項２】
従来の家庭用コージェネレーションシステム（エンジン式、及び燃料電池式等を用いた発電・排熱利用システム）に蓄電池（ＮＡＳ電池等）を組み合わせることを特徴とする家庭用トータルエネルギーシステム。
【発明の詳細な説明】
【技術分野】
【０００１】  本発明は、家庭用コージェネレーションシステムの技術に蓄電池（ＮＡＳ電池等）と太陽光発電システムを組み合わせることによって、系統電力（商用電力）から受電する電力量を著しく削減できるようにした、家庭用トータルエネルギーシステムである。
【背景技術】
【０００２】  従来の家庭用コージェネレーションシステムは、熱利用の制約から家庭内で消費する電力需要の約１／３しか発電することができず、残りの約２／３の電力量を系統電力（商用電力）から、受電していた。系統電力から受電する電力量が、家庭用太陽光発電システムの発電する電力量と、ほぼ等しいことに着目し、家庭用コージェネレーションシステムに、蓄電池（ＮＡＳ電池等）、及び家庭用太陽光発電システムを組み合わせることで受電電力量を著しく削減できるようにしたシステムである。
【発明の開示】
【発明が解決しようとする課題】
【０００３】  従来の家庭用コージェネレーションシステムでは、熱利用の制約から家庭内で消費する電力需要量の約１／３しか発電することができないので、約２／３の電力量を系統電力（商用電力）から受電する必要があった。また家庭用コージェネレーションシステムに家庭用太陽光発電システムを組み合わせても、発電時間帯と使用時間帯、及び１時間当たりの発電量と消費量、に相違がある為、発電した電力の自家消費率が低下していた。その結果、太陽光発電システムが発電した電力の内、自家消費できない余剰電力は、系統電力（商用電力）に逆潮流（売電）されていた。
【課題を解決する為の手段】
【０００４】  従来の家庭用コージェネレーションシステムの技術に太陽光発電システムと蓄電池（ＮＡＳ電池等）を組み合わせる。これにより、発電量の増加と、発電時間帯と使用時間帯の相違、及び１時間あたりの発電量と消費量の格差を吸収でき、発電した電力を効率的に自家消費できる。
【発明の効果】
【０００５】  本発明により、発電した電力を効率的に自家消費できる。その結果、系統電力（商用電力）から、受電する電力量を、著しく削減できる。
【０００６】  本発明により、系統電力（商用電力）へ、逆潮流（売電）する電力量を、著しく削減できる。
【０００７】  本発明により、家庭用コージェネレーションシステムの発電出力の設計にあたり、仕様決定（発電規模）の自由度が増す。
【発明を実施する為の最良の形態】
【０００８】  家庭用コージェネレーションシステムに、蓄電池機能と太陽光発電機能を付加させることで、系統電力（商電）からの受電電力量（買電）を著しく削減できる。
【産業上の利用可能性】
【０００９】  本発明に係わる家庭用トータルエネルギーシステムは、工業的に量産が可能である為、産業上の利用可能性を有する。
〔図２，図３，図４の前提条件〕【００１０】  図２、図３、図４は、住宅において、家庭用コージェネレーションシステムを使用した場合の時間帯別の電力分布を、仕様別に表したグラフである。ＣＧＳは、家庭用コージェネレーションシステムを指す。
設定条件は、下記の通りである。
（年間）必要電力量                      ：５，０００ｋｗｈ／年
（年間）ＣＧＳ発電量                    ：１，５００ｋｗｈ／年
（年間）太陽光発電（自家消費電力量）    ：１，３１４ｋｗｈ／年
（年間）太陽発発電（売電電力量）        ：１，６８６ｋＷｈ／年
（日平均）必要電力量                    ：１３．７０ｋｗｈ／日
（日平均）ＣＧＳ発電量                  ：  ４．１１ｋｗｈ／日
（日平均）太陽光発電（自家消費電力量）  ：  ３．６０ｋｗｈ／日
（日平均）太陽発発電（売電電力量）      ：  ４．６２ｋＷｈ／日
【図面の簡単な説明】
【００１１】
【図１】  システム概念図
【図２】  電力分布グラフ  ＣＧＳ（あり）、太陽光発電システム（なし）、蓄電池（なし）の仕様における時間帯別のグラフである。
【図３】  電力分布グラフ  ＣＧＳ（あり）、太陽光発電システム（あり）、蓄電池（なし）の仕様における時間帯別のグラフである。
【図４】  電力分布グラフ  ＣＧＳ（あり）、太陽光発電システム（あり）、蓄電池（あり）の仕様における時間帯別のグラフである。  １年間に５００ｋＷｈの購入電力量が発生しているが、太陽光発電システムの発電規模を３ｋＷとしている為であり、発電規模を拡大することで、購入電力量を不要にできる。
【図５】  年間購入電力量の比較
【図１】
2006296173.tif 000003
【図２】
2006296173.tif 000004
【図３】
2006296173.tif 000005
【図４】
2006296173.tif 000006
【図５】
2006296173.tif 000007
(57)【要約】〔課題〕永久磁力をうまく使い、動力源として、その動力源を、超電導と組合せる事により無資源、無公害、無騒音のエネルギーも又、得ようとするものです。〔解決手段〕１．あと、その永久磁石の大きなものは手動ではなく足踏み式又は固型バッテリー等により、はずみ車を動かす。２．それから、超電導の低温を高性能２次バッテリーで獲得する事。以上によって、永久の無資源のエネルギーを将来にわたって必要な時に必要なだけの動力も得る事になる。【選択図】図１
2006296177.tif 000002
【特許請求の範囲】
2006296177.tif 000004
）中を水平に動くＮｂ永久磁石ピストンによって、クランクが動く、そしてそのクランクを動力源として、尚且非晶質コイルを回転させて、低温下における超電導によって、ロスの少ない電気を得るものである。
最初の低温はバッテリー（蓄電）電力によって、そしてそのロスとの差の電力を再度低温を得るエネルギーに使う。
まずは手動ではずみ車を回転させる事により、水素も液体燃料も、ウランも、太陽光も、風力もいらないエネルギーを得る事が出来る。
【発明の詳細な説明】
【発明の詳細な説明】
【０００１】〔発明の属する技術分野〕
この発明は永久磁石と超電導の組合せによるエネルギーの創出です。
【０００２】〔従来の技術〕
この様なものはない。
【０００３】〔発明が解決しようとする課題〕
エネルギーを発生させるものとしては無資源、無公害。
【０００４】〔課題を解決するための手段〕
最初の低温をどう獲得するかが問題。
【０００５】
2006296177.tif 000003
おおよそエネルギーを必要とする処に利用できると考える。
【０００６】〔実施例〕
すでにリニアカーが動いている。又水平の磁石ピストンの最適値を求めていく事によって、大きなものも動く。
【０００７】〔発明の効果〕
無資源のエネルギーとなる。
【図面の簡単な説明】〔図１〕
図１は本発明の見通し図である。
【符号の説明】
図１のとおり。
【図１】
2006296177.tif 000005
(57)【要約】【課題】  従来の油引きは、使用を重ねていると塗油面に調理器具の調理カスや焦げが付着し、油と混合して固化し油を引きにくくなる。その為、都度塗油面の清掃が必要となるが、汚れが繊維にこびり付き、再度使える状態に戻す事が容易ではない。特に業務用等で使用している場合は多数の油引きを使用するので、清掃に多大な手間を必要とする。【解決手段】  芯材に多層構造の固形の樹脂、繊維等を使い、汚れにより固化した芯材の硬化した部分を剥がして使用する事が出来るようにすることで、芯材の清掃を容易にするとともに、常に清潔な状態で油を引くことが出来るようにする。また、芯の長さだけ使用が出来るので、頻繁に芯を交換する必要が無くなる。【選択図】  図１
2006296999.tif 000002
【特許請求の範囲】
【請求項１】
調理用油引きの芯材に保油性の固形の樹脂、繊維等を使用し、芯材に切り込みを入れるか、薄くカットされた芯材を重ねて接着する等の方法で多層構造とし、押し出しの出来る保持器具により芯材を任意の長さに押し出し、油を塗るさい調理カス等で油を塗りにくくなった調理器具との接触面を、１枚づつ剥がして使用することが出来るようにすることで、塗油面先端のメンテナンスを容易にした油引き。
【発明の詳細な説明】
【技術分野】
【０００１】  本発明は塗面の先端の清掃の容易化を図った調理用油引きに関する。
【背景技術】
【０００２】  調理時に、鉄板やフライパンに油を塗るための油引きは、従来、芯材に繊維を使用し、押さえ金具で束ね取っ手に取り付けた物を使用しているのが一般的である。（図２参照）
【発明の開示】
【発明が解決しようとする課題】
【０００３】  上記に述べた油引きは、油を塗るための繊維部分に鉄板表面の焼け焦げや調理くずがこびり付き、次第に硬化し、油が引けなくなる為、硬化部分の清掃が必要になる。【０００４】  しかるに、繊維にこびり付いた汚れは油とまじっていて固化しており、清掃することが難しく、もとの油を引ける状態に戻すのは容易ではない。【０００５】  本発明は、このような従来の油引きの問題点を解決し、メンテナンスの容易な油引きを実現する物である。
【課題を解決するための手段】
【０００６】  本発明では、油を塗る為の芯材の清掃を容易にする為、芯材に保油性の有る固形の樹脂、繊維等を使用し、芯材に切り込みを入れたり、薄くカットされた芯材を重ねて接着する等の方法で多層構造とし、油を塗るさい調理カス等が付着して油を塗りにくくなった鉄板との接触面を、１枚づつ剥がして使用することが出来るようにすることで油引きの清掃を容易にする。【０００７】  心材は保持金具で保持し、油引き先端へ送り出す構造とすることで、心材の長さ分だけ先端を剥がして何度でも使用出来るので芯材の交換の手間を少なくする事が出来る。
【発明の効果】
【０００８】  これにより、従来手間の掛かっていた油引きの清掃が容易になるとともに、塗油面を常に清潔な状態で使用出来る。
【発明を実施するための最良の形態】
【０００９】  以下、本発明の実施の形態を図１に基づいて説明する。【００１０】  図において、１は油引きの胴の部分で、５が調理器具に油を引くための芯材であり、芯材は剥離可能な多層構造となっている。３が芯材を保持し、油引き胴体内を移動させる保持金具、２は保持金具と胴体を固定、スライドする為の金具である。、【００１１】  油引き使用後、塗油面６が汚れ等で油を塗りにくくなってきたら、いちばん先端の芯材を剥がした後、溝４に沿って保持金具をスライドさせ、塗油面６方向に芯材をせりだす。
【図面の簡単な説明】
【００１２】
【図１】  本発明による油引きの構造図
【図２】  従来の一般的な油引きの図
【符号の説明】
【００１３】  １  油引きの胴体
２  保持金具を固定し送り出す為の金具
３  芯材を押さえる保持金具
４  ２を送り出すための溝
５  油を調理器具に塗る為の芯材
６  油引きの芯材と調理器具との接触面（油塗面）
【図１】
2006296999.tif 000003
【図２】
2006296999.tif 000004
【手続補正書】
【提出日】平成17年9月12日(2005.9.12)
【手続補正１】
【補正対象書類名】特許請求の範囲
【補正対象項目名】請求項１
【補正方法】変更
【補正の内容】
【請求項１】
調理用油引きの芯材に保油性の固形の樹脂、繊維等を使用し、芯材に切り込みを入れることで多層構造とし、スライド式の保持器具により芯材を任意の長さにスライドさせ、油を塗るさい調理カス等で油を塗りにくくなった鉄板との接触面を、１枚づつ剥がして使用することが出来るようにすることで、塗油面先端の掃除を不要にした油引き。
【手続補正２】
【補正対象書類名】明細書
【補正対象項目名】０００６
【補正方法】変更
【補正の内容】
【０００６】本発明では、油を塗る為の芯材の清掃を容易にする為、芯材に保油性のある固形の樹脂、繊維等を使用し、芯材に切り込みを入れて多層構造とし、油を塗るさい調理カス等が付着して油を塗りにくくなった鉄板との接触面を、１枚づつ剥がして使用することが出来るようにすることで油引きの清掃を容易にする。
(57)【要約】【課題】  動く乳幼児等の散髪等において、手で頭部を押さえながら、指で髪を切る感覚で安全に散髪できるものを提供する。【解決手段】中指と人差し指の間に取っ手を除いた、中指と人差し指より短く細いはさみ部分を装着し、各々の指に固定する。また、人差し指と親指の間にも同じように人差し指より短く細い櫛を装着し、人差し指に固定する。これらのはさみと櫛が指に固定するバンドを除き、各指の長さと太さの中に収まるようにする。この器具を装着し、中指と人差し指を水平に動かすことで、動く乳幼児等にも手で頭部を押さえながら、安全にはさみが動き、髪を切ることができる。また、人差し指に装着した櫛を使って、髪を梳かしながら、切ることもできる。【選択図】図５
2006297000.tif 000002
【特許請求の範囲】
【請求項１】
当発明は、一体となったはさみと櫛が中指、人差し指、親指の長さや太さからはみ出さないように、指にバンドで固定し、それぞれの指を水平に動かすことにより頭髪等を切るものである。
【発明の詳細な説明】
【技術分野】
【０００１】本発明は、動く乳幼児等の頭髪等を安全に切るために、中指、人差し指、親指のそれぞれの間に、はさみと櫛が一体となったものをはめ込むことで、両手で頭部等を抑えながら、刃が直接、頭部や顔部に当たらず、安全に頭髪を切ることができるようにしたものである。
【背景技術】
【０００２】従来は、取っ手を指にはめ込み、刃部分が手の外にはみ出る形のはさみ等を使って散髪をしていたが、刃先が乳幼児等の頭部や顔部に接触する恐れがあり、安全に散髪するはさみ等はなかった。
【発明の開示】
【発明が解決しようとする課題】
【０００３】動く乳幼児等に対して、従来のはさみで散髪する場合、片手で頭部を固定すると、もう片手で櫛を持ち、頭髪をすき、持ち替えて、新たにはさみを持ち、頭髪に入れようとすると、はさみを持った手が頭部に固定されていないため不安定になり、刃先が頭部や顔部に接触する可能性があるなどの難点があった。本発明は、これらの課題を解消するためになされたものである。
【課題を解決するための手段】
【０００４】中指と人差し指の間にはさみを、人差し指と親指の間に櫛を装着し、これらをそれぞれの指の第一関節、第二関節付近で指と固定するバンドをもってはさみと櫛を固定する。中指と人差し指を左右に動かすことで、はさみを動作することができる。また、はさみの刃先と櫛先は、中指、人差しの指先から突出しない長さとする。さらに、はさみと櫛の太さが中指、人差し指の太さから突出しない太さとする。このことで、はさみと櫛などからなる器具の角部分が手のひらの中から突出せず、指で髪を切る感覚に近い形で安全性を確保した。
【発明の効果】
【０００５】動く乳幼児の髪を両手で頭部を押さえながら、中指と人差し指と親指の間に装着したはさみと櫛により、頭部や顔部に刃先等が接触することなく、指で髪を切る感覚で散髪することが可能となる。
【実施例１】
【０００６】図１、図２及び図３、図４において、１はさみは、鉄製又はステンレス製等で刃部分は研いだもの。２バンドは、指のサイズに合わせ、ゴム製又はプラスチック製等。３櫛は、鉄製又はステンレス製等。
【実施例２】
【０００７】図１、図２及び図３、図４において、１はさみの刃部分をすきばさみにすることも可能。
【図面の簡単な説明】
【０００８】
【図１】  本発明のはさみを閉じた側面図
【図２】  本発明のはさみを開けた側面図
【図３】  本発明のはさみを開けた斜め正面図
【図４】  本発明のはさみを閉じた斜め正面図
【図５】  本発明に指にはめ込み刃を閉じた側面図
【符号の説明】
【０００９】  １  はさみ
２  バンド
３  櫛
【図１】
2006297000.tif 000003
【図２】
2006297000.tif 000004
【図３】
2006297000.tif 000005
【図４】
2006297000.tif 000006
【図５】
2006297000.tif 000007
(57)【要約】【課題】従来の清掃やおしりふき、あるいはメイク落し等として使用されるシートの形状は、汚れなどを拭き取る際の摩擦によって、シートが停止した時に、手がシートから滑り落ちてしまい、指先が拭き取ろうとする汚物などに触れてしまうという難点があった。【解決手段】一部を袋状にし、指先が入る部分を設け、シートから滑り落ちず、衛生的に使用できる形状にした。【選択図】図１
2006296919.tif 000002
【特許請求の範囲】
【請求項１】
一部を袋状にして指が入ることを特徴とする清掃やおしりふき、あるいはメイク落し等として使用される拭き取りシート。
【発明の詳細な説明】
【技術分野】
【０００１】
この発明は、清掃やおしりふき、あるいはメイク落し等として使用される拭き取りシートの形状に関する。
【背景技術】
【０００２】
従来の拭き取りシートは一枚の平坦な四角い紙を使用するものであった。
【発明の開示】
【発明が解決しようとする課題】
【０００３】
従来の拭き取りシートは、汚れなどを拭き取る際の摩擦によって、シートが停止した時、手が勢い余って、シートから滑り落ちてしまい、指先が拭き取ろうとする汚物などに触れてしまうという難点があった。
そこで、この発明は、この課題を解消するためになされたものである。
【課題を解決するための手段】
【０００４】
以上の課題を解決するために、第一発明は、一部を三角錐状の袋２にして指先が入る部分を設けたことを特徴とする拭き取りシートである。
【発明の効果】
【０００５】
この発明によれば、汚れなどを拭き取る際の摩擦によって、シートが停止した時など、三角錐状の袋２の部分に指先が入っているため、手がシートから滑り落ちず、指先が拭き取ろうとする汚物などに触れてしまうことがなくなる。また、指先が入る袋部分の形状が鋭角なので細かな部分も拭きやすいうえ、指先を覆っているので、ある程度の量でもシートの上に汚れが溢れてこない。しかも、使用後は袋上の部分を裏返しにし、汚物を包み込め、衛生的である。
【実施例１】
【０００６】
この発明の一実施形態を、図１に示す。 
【０００７】
「実施形態の効果」
図１の実施形態では、三角錐の袋２の部分が一重であるが、他の実施形態では、図２に示すような二重のものでもよい。
【図面の簡単な説明】
【０００８】
【図１】この発明の一実施形態を示す斜視図である。
【図２】この発明の他の実施形態を示す斜視図である。
【図３】図２の形態に至るまでを、順に説明を示す斜視図である。
【図４】図２の形態に至るまでを、順に説明を示す斜視図である。
【図５】この発明の他の従来の形態を示す斜視図である。
【符号の説明】
【０００９】
１  シート
２  三角錐状の袋
３  接着接合部
４  シートの１／４を折る
【図１】
2006296919.tif 000003
【図２】
2006296919.tif 000004
【図３】
2006296919.tif 000005
【図４】
2006296919.tif 000006
【図５】
2006296919.tif 000007